(57)【要約】【課題】  チャンネルリストの設定・変更を簡便に行うことを可能とするテレビジョン受像機、操作端末装置およびチャンネルリスト設定システム、並びにチャンネルリスト設定方法を提供する。【解決手段】  ＤＴＶとパレットディスプレイは、一方においてチャンネルリストデータの作成・変更が行われると、それに連動して他方におけるチャンネルリストデータの作成・変更がなされる。ＤＴＶの選局制御部１は、チャンネルリスト４１を作成すると共に、これを、パレットディスプレイの制御部２１に、無線を通じて転送する。制御部２１は、チャンネルリスト４１を基にして、自らのチャンネルリスト４５を作成する。【選択図】        図１２
2005033657.tif 000002
【特許請求の範囲】
【請求項１】
別体として設けられた操作端末装置によって操作可能なテレビジョン受像機であって、
テレビジョン信号を選択して受信する受信手段と、
前記受信手段の受信可能チャンネルを表すチャンネルリストを記憶する記憶手段と、
前記操作端末装置との間で通信を行う通信手段と、
前記通信手段を介して前記操作端末装置との間で通信を行うことにより、前記記憶手段が記憶するチャンネルリストの内容と、前記操作端末装置が保持するチャンネルリストの内容とを一致させる制御を行う制御手段と
を備えたことを特徴とするテレビジョン受像機。
【請求項２】
前記制御手段は、前記チャンネルリストの作成または変更を行い、この作成または変更されたチャンネルリストを前記記憶手段に記憶させると共に、前記通信手段を介して前記操作端末装置に送信する
ことを特徴とする請求項１に記載のテレビジョン受像機。
【請求項３】
前記制御手段は、前記通信手段を介して前記操作端末装置からチャンネルリストを受信し、このチャンネルリストを前記記憶手段に記憶させる
ことを特徴とする請求項１に記載のテレビジョン受像機。
【請求項４】
前記制御手段は、前記通信手段を介して前記操作端末装置から選局要求を受信し、この選局要求に基づいて前記受信手段にテレビジョン信号を受信させ、このテレビジョン信号を、前記通信手段を介して前記操作端末装置に送信する
ことを特徴とする請求項１に記載のテレビジョン受像機。
【請求項５】
前記制御手段は、前記通信手段を介して前記操作端末装置から選局要求を受信し、この選局要求に基づいて前記受信手段にテレビジョン信号を受信させ、このテレビジョン信号を基に画像表示を行う
ことを特徴とする請求項１に記載のテレビジョン受像機。
【請求項６】
前記操作端末装置との間で、チャンネルリスト全体の情報の通信を行う
ことを特徴とする請求項１に記載のテレビジョン受像機。
【請求項７】
前記操作端末装置との間で、チャンネルリストの変更に係る情報のみの通信を行う
ことを特徴とする請求項１に記載のテレビジョン受像機。
【請求項８】
前記操作端末装置との間でやりとりするチャンネルリストは、
各チャンネルに定常的に与えられた絶対チャンネルの番号および各チャンネルにユーザが任意に割り当てた表示用チャンネルの番号の少なくとも一方を含む
ことを特徴とする請求項１に記載のテレビジョン受像機。
【請求項９】
前記チャンネルリストには、チャンネルごとに対応づけた放送局名を含む
ことを特徴とする請求項８に記載のテレビジョン受像機。
【請求項１０】
テレビジョン受像機とは別体として設けられ、前記テレビジョン受像機を操作可能な操作端末装置であって、
前記テレビジョン受像機の受信可能チャンネルを表すチャンネルリストを記憶する記憶手段と、
前記テレビジョン受像機との間で通信を行う通信手段と、
前記通信手段を介して前記テレビジョン受像機との間で通信を行うことにより、前記記憶手段が記憶するチャンネルリストの内容と、前記テレビジョン受像機が保持するチャンネルリストの内容とを一致させる制御を行う制御手段と
を備えたことを特徴とする操作端末装置。
【請求項１１】
前記制御手段は、前記通信制御手段を介して、前記テレビジョン受像機からチャンネルリストを受信し、このチャンネルリストを前記記憶手段に記憶させる
ことを特徴とする請求項１０に記載の操作端末装置。
【請求項１２】
前記制御手段は、前記チャンネルリストの作成または変更を行い、この作成または変更したチャンネルリストの内容を前記記憶手段に記憶させると共に、前記通信手段を介して前記テレビジョン受像機に送信する
ことを特徴とする請求項１０に記載の操作端末装置。
【請求項１３】
さらに、画像を表示するための表示手段を備えている
ことを特徴とする請求項１０に記載の操作端末装置。
【請求項１４】
前記表示手段を利用して、チャンネルリストの設定、変更および設定内容の確認、選局のうちの１以上の操作を行う
ことを特徴とする請求項１３に記載の操作端末装置。
【請求項１５】
前記制御手段は、ユーザが各チャンネルに任意に割り当てた表示用チャンネルの番号と放送局名とを対応づけて表示画像を作成し、この表示画像を前記表示手段に表示する
ことを特徴とする請求項１３に記載の操作端末装置。
【請求項１６】
前記制御手段は、前記通信手段を介して前記テレビジョン受像機に選局要求を送信し、
この選局要求に基づいて、前記テレビジョン受像機にて前記受信手段が受信したテレビジョン信号を受信し、このテレビジョン信号を基に、前記表示手段にて画像表示を行う
ことを特徴とする請求項１０に記載の操作端末装置。
【請求項１７】
前記制御手段は、前記通信手段を介して前記テレビジョン受像機に選局要求を送信し、この選局要求に基づいて前記テレビジョン受像機に画像表示させる
ことを特徴とする請求項１０に記載の操作端末装置。
【請求項１８】
前記テレビジョン受像機との間で、チャンネルリスト全体の情報の通信を行う
ことを特徴とする請求項１０に記載の操作端末装置。
【請求項１９】
前記テレビジョン受像機との間で、チャンネルリストの変更に係る情報のみの通信を行う
ことを特徴とする請求項１０に記載の操作端末装置。
【請求項２０】
前記操作端末装置との間でやりとりするチャンネルリストは、
各チャンネルに定常的に与えられた絶対チャンネルの番号および各チャンネルにユーザが任意に割り当てた表示用チャンネルの番号の少なくとも一方を含む
ことを特徴とする請求項１０に記載の操作端末装置。
【請求項２１】
前記チャンネルリストには、チャンネルごとに対応づけた放送局名を含む
ことを特徴とする請求項２０に記載の操作端末装置。
【請求項２２】
テレビジョン受像機と、前記テレビジョン受像機とは別体に設けられ、前記テレビジョン受像機を操作可能な操作端末装置とを備え、
前記テレビジョン受像機は、
受信可能チャンネルを表すチャンネルリストを記憶する第１の記憶手段と、
前記操作端末装置との間で通信を行う第１の通信手段と、
前記第１の通信手段を介して前記操作端末装置との間で通信を行うことにより、前記第１の記憶手段が記憶するチャンネルリストの内容と、前記操作端末装置が保持するチャンネルリストの内容とを一致させる制御を行う第１の制御手段と
を含み、
前記操作端末装置は、
前記テレビジョン受像機の受信可能チャンネルを表すチャンネルリストを記憶する第２の記憶手段と、
前記テレビジョン受像機との間で通信を行う第２の通信手段と、
前記第２の通信手段を介して前記テレビジョン受像機との間で通信を行うことにより、前記第２の記憶手段が記憶するチャンネルリストの内容と、前記テレビジョン受像機が保持するチャンネルリストの内容とを一致させる制御を行う第２の制御手段とを
含む
ことを特徴とするチャンネルリスト設定システム。
【請求項２３】
テレビジョン受像機、および、前記テレビジョン受像機とは別体に設けられ、前記テレビジョン受像機を操作可能な操作端末装置に対して適用されるチャンネルリスト設定方法であって、
前記テレビジョン受像機および操作端末装置の双方に、前記テレビジョン受像機の受信可能チャンネルを表すチャンネルリストを保持させ、
前記テレビジョン受像機および操作端末装置のいずれか一方において、前記チャンネルリストの作成または変更を行う場合に、
一方が、この作成または変更されたチャンネルリストを記憶すると共に他方へ送信し、他方が、送信されてくるチャンネルリストを受信し、このチャンネルリストを記憶して、互いのチャンネルリストの内容を一致させる
ことを特徴とするチャンネルリスト設定方法。
【発明の詳細な説明】
【技術分野】
【０００１】
本発明は、テレビ受像機、特にディジタル放送などの多チャンネル放送を受信することができるテレビジョン受像機、このテレビジョン受像機の操作を通信により行う操作端末装置、および、これらテレビジョン受像機と操作端末装置とを用いたチャンネルリスト設定システム、並びにチャンネルリスト設定方法に関する。
【背景技術】
【０００２】
現在、日本でのディジタル放送は、ＢＳ（Broadcasting Satellite）やＣＳ（Communication Satellite）、ＣＡＴＶ（ケーブルテレビ）において実施されている。ディジタル放送は、ディジタル信号をＭＰＥＧ（Moving Picture Experts Group）の圧縮符号化技術により、旧来のアナログ放送に比べて数倍の情報を送信できる。そのため、チャンネル数もアナログ放送とは比較にならないほど多く、受信者にとっては、多種多様なコンテンツを享受することが可能となっている。
【０００３】
さらに、今年度（2003年）からは、地上波ディジタル放送が開始されることになっており、これまでのアナログ放送がディジタル放送に切り替わってゆくことが予定されている。そのとき視聴可能なチャンネル数は、一般の視聴者にとっても５０〜６０以上になると予想される。
【０００４】
このような多チャンネル化に対し、視聴者が快適かつ容易に番組選択を行うための技術が、提案されている。例えば、多量の番組情報を単に表示するのではなく、ユーザの判断に基づいて番組関連情報にアクセスする機会を提供するという双方向番組ガイドシステムに関する技術が、特許文献１に開示されている。
【特許文献１】特表２００２−５３２０２０号公報
【発明の開示】
【発明が解決しようとする課題】
【０００５】
多チャンネル化に伴う利便性の問題としては、このほかにチャンネル番号の設定が挙げられる。チャンネルリストの設定とは、受信可能なチャンネルのそれぞれに対し、ユーザが自由に番号を割り当てることである。チャンネル数が多いと、ユーザ側にはチャンネルの取捨選択を行う必要が生じてくるので、例えば、自分がよく視聴するチャンネルには優先的に１から順に小さな数の番号を振っておくなど、チャンネルを自分の都合のいいように管理することが一般に考えられる。
【０００６】
ところで、従来では、ディジタル放送受信用のテレビ受像機（ＤＴＶ）とそのリモートコントローラとは、チャンネルリストをそれぞれ独立に設定するようになっていた。そのため、ユーザは、ＤＴＶとリモートコントローラとで２回、チャンネルリストを設定しなければならなかった。
【０００７】
しかしながら、その場合に、数十以上のチャンネルを設定するのには大変な時間と手間がかかってしまう。また、このように二度手間を強いられるのであれば、一部の設定変更でさえも面倒な作業となってしまう。
【０００８】
本発明はかかる問題に鑑みてなされたもので、その目的は、チャンネルリストの設定・変更を簡便に行うことを可能とするテレビジョン受像機、操作端末装置およびチャンネルリスト設定システム、並びにチャンネルリスト設定方法を提供することにある。
【課題を解決するための手段】
【０００９】
本発明によるテレビジョン受像機は、別体として設けられた操作端末装置によって操作可能なテレビジョン受像機であって、テレビジョン信号を選択して受信する受信手段と、受信手段の受信可能チャンネルを表すチャンネルリストを記憶する記憶手段と、操作端末装置との間で通信を行う通信手段と、通信手段を介して操作端末装置との間で通信を行うことにより、記憶手段が記憶するチャンネルリストの内容と、操作端末装置が保持するチャンネルリストの内容とを一致させる制御を行う制御手段とを備えたものである。なお、ここでいう「チャンネルリスト」とは、絶対チャンネルに、少なくとも表示チャンネルおよび放送局名の一方が対応づけられた編成チャンネル情報を指し、データ信号として伝送したり、任意の表現形式でディスプレイ上に表示させたりすることができる。
【００１０】
本発明による操作端末装置は、テレビジョン受像機とは別体として設けられ、テレビジョン受像機を操作可能な操作端末装置であって、テレビジョン受像機の受信可能チャンネルを表すチャンネルリストを記憶する記憶手段と、テレビジョン受像機との間で通信を行う通信手段と、通信手段を介してテレビジョン受像機との間で通信を行うことにより、記憶手段が記憶するチャンネルリストの内容と、テレビジョン受像機が保持するチャンネルリストの内容とを一致させる制御を行う制御手段とを備えたものである。
【００１１】
また、本発明によるチャンネルリスト設定システムは、テレビジョン受像機と、テレビジョン受像機とは別体に設けられ、テレビジョン受像機を操作可能な操作端末装置とを備え、テレビジョン受像機は、受信可能チャンネルを表すチャンネルリストを記憶する第１の記憶手段と、操作端末装置との間で通信を行う第１の通信手段と、第１の通信手段を介して操作端末装置との間で通信を行うことにより、第１の記憶手段が記憶するチャンネルリストの内容と、操作端末装置が保持するチャンネルリストの内容とを一致させる制御を行う第１の制御手段とを含み、操作端末装置は、テレビジョン受像機の受信可能チャンネルを表すチャンネルリストを記憶する第２の記憶手段と、テレビジョン受像機との間で通信を行う第２の通信手段と、第２の通信手段を介してテレビジョン受像機との間で通信を行うことにより、第２の記憶手段が記憶するチャンネルリストの内容と、テレビジョン受像機が保持するチャンネルリストの内容とを一致させる制御を行う第２の制御手段とを含むものである。
【００１２】
さらに、本発明によるチャンネルリスト設定方法は、テレビジョン受像機および操作端末装置の双方に、テレビジョン受像機の受信可能チャンネルを表すチャンネルリストを保持させ、テレビジョン受像機および操作端末装置のいずれか一方において、チャンネルリストの作成または変更を行う場合に、一方が、この作成または変更されたチャンネルリストを記憶すると共に他方へ送信し、他方が、送信されてくるチャンネルリストを受信し、このチャンネルリストを記憶して、互いのチャンネルリストの内容を一致させるようにしたものである。なお、本発明においていうチャンネルリストの「作成」とは、チャンネルリストの新規作成、および新たな内容の追加をいい、またチャンネルリストの「変更」とは、チャンネルリストの一部または全部に係る設定内容の更新をいう。
【００１３】
本発明によるテレビジョン受像機、操作端末装置およびチャンネルリスト設定システム並びにチャンネルリスト設定方法では、（１）テレビジョン受像機にてチャンネルリストを作成または変更する場合には、その内容は操作端末装置に送られ、操作端末装置でも同様の内容を含むようにチャンネルリストが作成または変更される。あるいは反対に（２）操作端末装置にてチャンネルリストを作成または変更する場合には、その内容はテレビジョン受像機に送られ、テレビジョン受像機でも同様の内容を含むようにチャンネルリストが作成または変更される。よって、両者が保持するチャンネルリストは、互いに一方の作成・変更に伴って他方が自動的に作成・変更され、内容が共通化された状態となる。
【発明の効果】
【００１４】
本発明のテレビジョン受像機、操作端末装置、およびチャンネルリスト設定システム、並びにチャンネルリスト設定方法によれば、以下に説明するように、テレビジョン受像機と操作端末装置のいずれか一方でチャンネルリストの作成・変更が行われると、それに連動して、他方におけるチャンネルリストの作成・変更が自動的になされ、２つのリストの内容が一致する。したがって、テレビジョン受像機、操作端末装置のチャンネルリストをそれぞれ別途に作成・変更する場合の二重の手間を半減させることができる。ひいては、ユーザのチャンネル管理を支援し、快適な使用環境を提供することを可能とする。
【発明を実施するための最良の形態】
【００１５】
以下、本発明の実施の形態について、図面を参照して詳細に説明する。
【００１６】
＜ＤＴＶとパレットディスプレイの概要＞
図１は、本発明の一実施の形態に係る受信システムの外観構成を表しており、図２は、その機能構成図である。この受信システム３００は、少なくともＤＴＶ１００，パレットディスプレイ２００を含み、ＤＴＶ１００とパレットディスプレイ２００は相互に無線により通信する機能を備えたものである。
【００１７】
ＤＴＶ１００は、映像信号を受信するメディアレシーバ１０と、メディアレシーバ１０から映像信号の供給を受けて画像表示を行うディスプレイ１１とに分離された構成となっている。このディスプレイ１１は、例えばＰＤＰ（Plasma Display Panel），ＬＣＤ（Liquid Crystal Display）などの大型のディスプレイである。メディアレシーバ１０は、アナログの地上波や、ＢＳ／ＣＳアンテナ１２を使って受信される１１０°ＣＳディジタル放送，ＢＳディジタル放送等の各種の放送信号をディスプレイ１１に供給するものである。その際の選局（チャンネルの選択）は、選局ボタン１３からの外部入力、リモコン３０による入力、パレットディスプレイ２００の操作による入力のいずれによっても行うことができるようになっている。なお、１１０°ＣＳディジタル放送は、ＢＳディジタル放送のＢＳＡＴ-2aと同じく東経１１０°方向に静止する人工衛星「Ｎ−ＳＡＴ−１１０」を利用する衛星放送を指し、以下では、１１０°ＣＳを単にＣＳと呼ぶことにする（ただし、これらは一例であって、これ以外のＣＳ放送、さらには地上波ディジタル放送、データ放送、音声のみの放送などの上記以外の放送信号を受信する形態も実施可能である）。
【００１８】
パレットディスプレイ２００は、受け台２０１の上に載置され、必要に応じてユーザが持ち運びして使用するようになっている。パレットディスプレイ２００は、ＤＴＶ１００と連動して様々な受信制御を行うものであり、リモコン３０のような制御機能一般の機能を有しつつ、自身もディスプレイ２２を備えているという特徴がある。ディスプレイ２２は、例えばＬＣＤの上にタッチパネルが積層されて構成され、タッチパネル上に表示するＧＵＩ（Graphical User Interface）によって、ユーザの各種操作が行われる。
【００１９】
図３は、ディスプレイ２２の初期画面の一例を表している。画面上、表示・センサ部２２Ｂはタッチパネルとして機能し、それ以外の領域にはＬＣＤの画像とメニュー表示５１が表示されている。メニュー項目としては、例えば、テレビチャンネルリスト，チャンネルリスト，テレビ（ＴＶ）リモコン等が設定されている。チャンネルリストとは、例えば、ＤＴＶ１００を、インターネットを使ったデータ受信が可能な構成とした場合に、放送型インターネットにより自動配信されるニュース等、あるいはユーザによって追加設定されたホームページ等にアクセスするためのチャンネルを、テレビチャンネルリストに加えたものである。メニュー項目の右端の表示・センサ部２２Ｂを指６０で触れると、項目がハイライト表示され、選択行為に関する処理が開始される。そのほか、選択のキャンセル等は、指６０の動きなどと対応させた一定の規則に基づいて行うことができるようになっている。
【００２０】
図４は、ディスプレイ２２における「テレビチャンネルリスト」の表示画面の一例を表している。すなわち、タッチパネルの表示・センサ部２２Ａに、チャンネル表示５２としてＤＴＶ１００が受信可能なチャンネルが表示される。具体的には、地上波，ＣＳ，ＢＳ、および入力（ビデオ１〜ビデオ４）のカテゴリが設定され、それぞれのカテゴリにおいて受信可能なチャンネルをＧＵＩである選局ボタン５２Ａとして表示している。ここでは、ユーザが選局ボタン５２Ａを触れることでチャンネルを指定すると、パレットディスプレイ２００からＤＴＶ１００に選局制御信号が送信され、ディスプレイ１１に指定されたチャンネルからの映像が表示されるようになっている。
【００２１】
図５は、ディスプレイ２２における「ＴＶリモコン」の表示画面の一例を表している。タッチパネルの表示・センサ部２２Ａに、リモコン表示５３としてリモコン用のボタンがＧＵＩとして表示されている。ここでは、チャンネル切り換え用のボタンは、地上波放送，ＣＳ放送，ＢＳ放送のそれぞれにつき１〜１２までとしている。
【００２２】
＜ＤＴＶとパレットディスプレイの構成＞
次に、ＤＴＶ１００およびパレットディスプレイ２００の要部構成について、図２を参照しながら説明する。
【００２３】
ＤＴＶ１００は、メディアレシーバ１０において選局と放送受信から映像信号の処理を行うようになっている。メディアレシーバ１０は、各動作を制御する選局制御部１，リモコン３０から受光する受光部２，パレットディスプレイ２００との間で双方向通信を行う通信制御部３，ＣＳ，ＢＳディジタル信号を受信するディジタルチューナ４，地上波信号を受信するアナログチューナ５，ビデオ信号再生回路６，入力信号の切り換えを行うＡＶスイッチ（ＳＷ）７，ＡＶＳＷ７からの入力信号に対し、表示に必要な処理を施してディスプレイ１１に送出する信号処理回路８を含んで構成されている。また、ディスプレイ１１は、信号処理回路８からの画像信号を受け、画面に表示するようになっている。このうち、従来のＤＴＶと同様の構成要素については、詳細な説明を省略する。
【００２４】
選局制御部１は、選局ボタン１３からの外部入力、もしくは、リモコン３０，パレットディスプレイ２００における操作入力による選局制御信号を受け、ＡＶＳＷ７による入力信号切り換えを制御する機能を有している。その際、ユーザは、チャンネルごとにユーザ設定されたチャンネル番号（以下、表示チャンネルという）に基づいて選局を行う。そのため、この選局制御部１は、さらにメモリ１Ａを備え、そこにテレビ放送用のチャンネルリスト（チャンネルリスト４１，４２，４３）を記憶している。
【００２５】
チャンネルリスト４１は、地上波に対応したチャンネルリストであり、図６のように、絶対チャンネルと表示チャンネルとが対応するテーブルになっている。絶対チャンネルとは、チャンネル識別用に、法定周波数に割り当てられている１〜６３の番号である。実際の放送の受信は、すべてこの絶対チャンネルに基づいて行われている。
【００２６】
チャンネルリスト４２，４５は、それぞれ、ＢＳ放送、ＣＳ放送に対応したチャンネルリストであり、図７，図８のように、絶対チャンネルと放送局名とが対応したテーブルになっている。
【００２７】
選局制御部１はまた、こうしたチャンネルリストの作成・変更を行う機能を有している。ここでは、選局制御部１は、チャンネルリスト４１の作成・変更のために（i）アナログチューナ５から地上波を受信し、地上波の各放送に合わせて表示チャンネルを設定すると共に、（ii）ディジタルチューナ４からＢＳ，ＣＳディジタル放送のＳＩ（Service Information）を受け取り、これに表示チャンネルを対応させてテーブルを作成するようになっている。ちなみに、ＳＩには、ＮＩＴ（Network Information Table），ＳＤＴ（Service Description Table）等があり、それぞれ、全編成チャンネルの番組関連情報、変調周波数（絶対チャンネルに対応）などの情報、編成チャンネルの名称、放送事業者名などの情報を含んでいる。これらのデータの伝送には、ＭＰＥＧ２システムで規定されている方式のうち、ＭＰＥＧ−ＴＳ（Transport Stream）と呼ばれる方式が適用されている。日本では、ＳＩはＡＲＩＢ（Association of Radio Industries and Businesses）規格においてＳＴＤ−Ｂ１０として規定されている。
【００２８】
さらに、選局制御部１は、（１）通信制御部３を介して、設定または更新したチャンネルリストをパレットディスプレイ２００に送信するようになっている。また、反対に、（２）パレットディスプレイ２００から送られてくるチャンネルリストを、通信制御部３を介して受け取り、これに基づいてチャンネルリストの作成・変更を行うようになっている。
【００２９】
パレットディスプレイ２００は、この機器の各種制御を行う制御部２１，表示・センサ部２２Ａ，２２Ｂを備えたディスプレイ２２、および、ＤＴＶ１００との間で双方向通信を行う通信制御部２３を含んで構成されている。この通信制御部２３とＤＴＶ１００側の通信制御部３との無線通信には、例えば、ＩＥＥＥ（Institute of Electrical and Electronics Engineers ）802.11の無線方式、より具体的には、そのうちの802.11aの規格を適用するとよい。これにより、使用帯域5.2ＧＨｚ、最大伝送速度５４Ｍbpsが実現できる。
【００３０】
また、パレットディスプレイ２００は、前述の「テレビチャンネルリスト」を画面表示するために、あらかじめ局名リスト４４を保持すると共に（１）チャンネルリスト４１を取得もしくは（２）チャンネルリスト４１と同様のチャンネルリスト４６を自ら設定するようになっている。
【００３１】
局名リスト４４は、図９に示したように、絶対チャンネルと放送局名とが対応づけられたものであり、全国放送の放送局だけでなく、地域の放送局の情報を含んでいる。制御部２１にはメモリ２１Ａが付設されており、ここに、局名リスト４４や、必要なチャンネルリストが記憶される。
【００３２】
また、ここでは、制御部２１が（１）ＤＴＶ１００で作成・変更されたチャンネルリストを通信制御部２３を介して取得したり、（２）チャンネルリストを自ら作成・変更をしたりするようになっている。自ら作成・変更を行う場合には、作成されたチャンネルリスト４６はＤＴＶ１００に送信される。すなわち、本実施の形態では、ＤＴＶ１００とパレットディスプレイ２００は、一方においてチャンネルリストデータの作成・変更が行われると、それに連動して他方におけるチャンネルリストデータの作成・変更がなされるように構成されている。
【００３３】
また、制御部２１では、受信したチャンネルリスト４１または自ら作成したチャンネルリスト４６と、局名リスト４４とを合成して、図４の「テレビチャンネルリスト」に対応したチャンネルリスト４５を作成するようになっている（図１０参照）。
【００３４】
＜ＤＴＶとパレットディスプレイの連携動作＞
次に、この受信システム３００の主要な動作について説明する。
【００３５】
＜ＤＴＶ→パレットディスプレイ＞
まず、（１）ＤＴＶ１００において設定したチャンネルリスト４１を、パレットディスプレイ２００に送信する場合について説明する。
【００３６】
（i）地上波のチャンネルリスト設定
図１１は、地上波のチャンネルリスト（チャンネルリスト４１）を設定する際のＤＴＶ１００，パレットディスプレイ２００の双方の動作を表すフローチャートである。始めに、ＤＴＶ１００のチャンネル設定を、通常と同様にして行う。すなわち、ユーザは、例えばリモコン３０を使ってＤＴＶ１００に対して選局指示を行い、ディスプレイ１１にて実際の受信映像をみて確認しながら、１つずつ表示チャンネルを設定してゆく（ステップＳ１）。
【００３７】
このとき、ＤＴＶ１００では、リモコン３０からの選局制御信号を、受光部２を介して選局制御部１が受けると、選局制御部１はアナログチューナ５に選局指示を出力し、その変調周波数を変えて受信を試みる。受信された放送信号のうち、画像信号はＡＶＳＷ７，信号処理回路８を介してディスプレイ１１に入力され、画像が表示される。続いて、リモコン３０から選局制御部１に、ユーザが受信チャンネルに対して設定したチャンネル番号、つまり表示チャンネルが入力される。選局制御部１は、これらを基にチャンネルリスト４１を作成し（図６参照）、メモリ１Ａに格納する。なお、図６のＢＯＸという項目は、リモコン３０の操作ボタンの番号１〜１２に対応している。このように、ユーザの操作により、絶対チャンネルとは異なる表示チャンネルを設定することができる。図示の例では、５番のＢＯＸに対しては、絶対チャンネルは１４が割り当てられており、表示チャンネルは２５に設定されている。この場合、リモコン３０の５番のボタンを押すと、メディアレシーバ１０では「１４」に対応した法定周波数のチャンネルが選局され、ディスプレイ１１の画面上には「２５」と表示される（チャンネル設定後、ユーザの操作はすべて、表示チャンネルに基づいて行われることとなる）。このチャンネルリスト４１の作成以降の動作は、すべてユーザの操作を介さずに自動で行われる。
【００３８】
次に、ＤＴＶ１００は、チャンネルリスト４１を、無線を通じてパレットディスプレイ２００に転送する（ステップＳ２）。メディアレシーバ１０は、チャンネルリスト４１を、選局制御部１から通信制御部３を介して送出する。
【００３９】
一方、パレットディスプレイ２００は、チャンネルリスト４１を通信制御部２３にて受信し、制御部２１に入力する（ステップＳ３）。これにより、パレットディスプレイ２００では、ＤＴＶ１００にて行ったチャンネルの設定内容そのものが取得されたことになり、ユーザは、外部入力に頼ってチャンネル設定を改めて行う必要がなくなる。
【００４０】
パレットディスプレイ２００は、さらに、チャンネルリスト４１を基にして、ディスプレイ２２の上にチャンネル表示５２（図４参照）を行う。そのために、制御部２１は、チャンネルリスト４１に、あらかじめメモリ２１Ａに保持していた局名リスト４４（図９参照）の内容を反映させる。すなわち、絶対チャンネルを指標として両者を対照し、図１２に示したように、１つのリスト（チャンネルリスト４５）にまとめる（ステップＳ４）。得られたチャンネルリスト４５は、メモリ２１Ａに記憶される。こうして、ＤＴＶ１００におけるチャンネルリストの設定に連動するようにして、パレットディスプレイ２００にもＤＴＶ１００と一致した内容のチャンネルリストが自動的に設定される。
【００４１】
チャンネルリスト４５は、図１０のようになっている。同図において、「― ―」で示されたチャンネル項目は、プロトコル上は０（０ｘＦＦ）となっている。そこで、チャンネルリスト４５において、絶対チャンネルが「― ―」であるＢＯＸがあれば（ステップＳ５；Ｎ）、そのチャンネルは受信不能であるとみなして、ＧＵＩによるボタン表示を行わないようにする（ステップＳ７）。同図の例では、ＢＯＸ１１がこれに該当する。
【００４２】
また、放送局名がない場合には（ステップＳ６；Ｎ）、そのチャンネルは局名リスト４４の地域情報になかったことになるため、やはり受信不能であるとみなして、ＧＵＩによるボタン表示を行わないようにする（ステップＳ７）。図１０の例では、ＢＯＸ２がこれに該当する。この場合、絶対チャンネル「２４」は、局名リスト４４には存在していないので、表示しないことにする。
【００４３】
したがって、絶対チャンネルがあり（ステップＳ５；Ｙ）、放送局名がある（ステップＳ６；Ｙ）場合には、そのＢＯＸの表示チャンネルと放送局名を記した選局ボタン５２Ａをディスプレイ２２の画面上に表示する。なお、このときの選局ボタン５２Ａのならび順は、例えば表示チャンネルの番号順とする。これにより、チャンネル表示５２の表示を行うことができる（ステップＳ８）。
【００４４】
このようにして、ＤＴＶ１００とパレットディスプレイ２００では、地上波についてのチャンネル設定が１回の設定入力により行われる。
【００４５】
（ii）ディジタル放送のチャンネルリスト設定
図１３は、ディジタル放送のチャンネルリスト（チャンネルリスト４２，４３）を設定する際のＤＴＶ１００，パレットディスプレイ２００の双方の動作を表すフローチャートである。まず、ＤＴＶ１００におけるチャンネル設定を行う。すなわち、選局制御部１において、チャンネルリスト４２，４３の作成に必要なデータを、ディジタルチューナ４を経由して受信する。具体的には、ディジタルチューナ４が具備するDemux（デマルチプレクサ；分離回路）を用いて、受信した放送信号からＮＩＴやＳＤＴを分離し、選局制御部１に入力する。ＮＩＴからは受信可能な放送局のチャンネル、ＳＤＴからはその放送局の名称を、それぞれ取得する。これらの情報を基に、チャンネルリスト４２，４３を作成する（図７，図８参照／ステップＳ１１）。
【００４６】
次に、選局制御部１は、チャンネルリスト４２，４３を、メモリ１Ａに格納すると共に、通信制御部３を介した無線通信によってパレットディスプレイ２００に転送する（ステップＳ１２）。
【００４７】
一方、パレットディスプレイ２００は、チャンネルリスト４２，４３を通信制御部２３にて受信し、制御部２１に入力する（ステップＳ１３）。これにより、パレットディスプレイ２００では、ＤＴＶ１００にて行ったチャンネルの設定内容そのものが取得されたことになり、チャンネル設定を改めて行う必要がなくなる。なお、これらのチャンネルリスト４２，４３は、メモリ２１Ａに記憶される。こうして、パレットディスプレイ２００では、ＤＴＶ１００におけるチャンネルリストの設定に連動するようにして、ＤＴＶ１００のチャンネルリストと一致した内容のチャンネルリストが設定される。
【００４８】
パレットディスプレイ２００は、さらに、チャンネルリスト４２，４３を基にして、ディスプレイ２２の上にチャンネル表示５２（図４参照）を行う。すなわち、絶対チャンネルと、対応する放送局名とを記した選局ボタン５２Ａを、ディスプレイ２２の画面上に表示する。なお、このときの選局ボタン５２Ａのならび順は、例えば表示チャンネルの番号順とする。これにより、チャンネル表示５２の表示を行うことができる（ステップＳ１４）。
【００４９】
このようにして、ＤＴＶ１００とパレットディスプレイ２００では、ＣＳ／ＢＳディジタル放送についてのチャンネル設定が１回の設定入力により行われる。
【００５０】
〔変形例〕
以上では、受信した絶対チャンネル，放送局名をそのまま、ディジタル放送用のチャンネルリストとして利用する例について説明したが、ディジタル放送用のチャンネルリスト作成においても、ユーザが表示チャンネルを設定することは可能である。例えば、地上波のリスト作成と同様に、リモコン３０を使って選局指示を行い、ディスプレイ１１にて実際の受信映像をみて確認しながら、１つずつ表示チャンネルを設定してゆく。この場合、選局制御部１は、放送局名，絶対チャンネルに表示チャンネルを加えたチャンネルリストを作成し、パレットディスプレイ２００に転送するとよい。
【００５１】
＜パレットディスプレイ→ＤＴＶ＞
次に、（２）パレットディスプレイ２００にて設定したチャンネルリスト４６を、ＤＴＶ１００に送信する場合について説明する。
【００５２】
図１４は、チャンネルリストをパレットディスプレイ２００にて設定する場合のＤＴＶ１００，パレットディスプレイ２００の双方の動作を表すフローチャートである。まず、パレットディスプレイ２００にてチャンネルリストを作成するが、パレットディスプレイ２００自体はチューナを備えていないので、ＤＴＶ１００のチューナ４，５と無線で通信することによって表示チャンネルの設定を行う。
【００５３】
具体的には、まず、パレットディスプレイ２００側の制御部２１からＤＴＶ１００側の選局制御部１へ、通信制御部２３，通信制御部３を介して選局指示を送出する（ステップＳ２１）。
【００５４】
選局制御部１は、送られてくる選局指示に従ってチューナ４，５およびＡＶＳＷ７の制御を行い、所定の絶対チャンネルの受信と表示を行うようにする。さらに、選局制御部１は、このとき実際の受信が可能であるかどうかを確認する（ステップＳ２２）。受信の成功または失敗の情報はデータｄとされ、選局指示に応答するかたちで選局制御部１から制御部２１へと送り出される（ステップＳ２３）。
【００５５】
制御部２１は、データｄを受け取り、その情報から、この地域で実際に受信可能な絶対チャンネルを確認すると、この絶対チャンネルに、あらかじめメモリ２１Ａに記憶された局名リスト４４を対照させてチャンネルリスト４６を作成する（ステップＳ２４）。よって、チャンネルリスト４６は（絶対チャンネル、放送局名）の情報からなる。なお、この時点、もしくは先の選局中に、絶対チャンネルに対応させるようにして表示チャンネルを設定することが望ましい。このパレットディスプレイ２００は、前述したように、ユーザに対しては表示チャンネルによる表示を行うようにしているためである。その場合、チャンネルリスト４６は、（絶対チャンネル、表示チャンネル、放送局名）から構成される。
【００５６】
制御部２１は、チャンネルリスト４６をメモリ２１Ａに格納すると共に、ディスプレイ２２の画面上に、選局ボタン５２Ａとしてチャンネルリスト４６を表示させる（ステップＳ２５）。その一方で、制御部２１は、チャンネルリスト４６を、通信制御部２３を介した無線通信によってＤＴＶ１００に転送する（ステップＳ２６）。転送する内容は、（絶対チャンネル、表示チャンネル）または（絶対チャンネル、放送局名）のみであってもよいし、（絶対チャンネル、表示チャンネル、放送局名）としてもよい。つまり、ＤＴＶ１００は、パレットディスプレイ２００が取得したチャンネルリスト内の情報のうち、必要な情報を含むデータを送信してもらえばよい。ここでは、（絶対チャンネル、表示チャンネル）を送信することになるが、送信内容は、ＤＴＶ１００の機能に応じて決定する。
【００５７】
ＤＴＶ１００では、チャンネルリスト４６を通信制御部３にて受信し、選局制御部１に入力する。これにより、ＤＴＶ１００では、パレットディスプレイ２００にて行ったチャンネルの設定内容そのものが取得されたことになり、チャンネル設定を改めて行う必要がなくなる。なお、これらのチャンネルリスト４６は、メモリ１Ａに記憶される。こうして、ＤＴＶ１００においても、パレットディスプレイ２００におけるチャンネルリスト設定に連動するようにして、パレットディスプレイ２００のチャンネルリストと一致した内容のチャンネルリストが設定される（ステップＳ２７）。
【００５８】
なお、以上の動作説明では、チャンネル設定時に行う選局や、表示チャンネルの設定の操作にリモコン３０を用いるようにしたが、こうした操作を行う手段としては、リモコン３０だけでなく、選局ボタン１３さらにはパレットディスプレイ２００の操作画面を用いることができる。
【００５９】
また、以上では、チャンネルリストを作成する際の動作について説明したが、メモリの内容を書き換える（上書きする）以外は、更新時においても基本動作は全く同様である。また、一部書き換えの場合には、伝送データはチャンネルリストのテーブル全体でもよいが、変更に係る部分のデータのみとしてもよい。メモリ１Ａ，２１Ａにおける書き換えも、変更に係る部分のみ行ってもよいし、更新時には全体を上書きするような制御方式をとってもよい。
【００６０】
このように本実施の形態によれば、（１）ＤＴＶ１００にてチャンネルリストの作成・変更を行う場合は、そのチャンネルリストをパレットディスプレイ２００に送信し、パレットディスプレイ２００でも作成・変更を行うものとし、（２）パレットディスプレイ２００にてチャンネルリストの作成・変更を行う場合は、そのチャンネルリストをＤＴＶ１００に送信し、ＤＴＶ１００でも作成・変更を行うものとしたので、双方のチャンネルリストの内容が一致したものとなる。よって、いずれの場合にも、両者のチャンネルリスト設定は１回の設定入力により実行され、別途に作成・変更する場合の二重の手間を半減させることができる。そのため、受信システム３００は、チャンネルの設定・変更を簡便に行うことができるようになり、ユーザにとっては、チャンネル管理を比較的自由に行うことができる使用環境が提供され得ることになる。
【００６１】
なお、上述した動作によってチャンネルリストが互いに一致するように設定された後には、例えば、パレットディスプレイ２００のディスプレイ２２の「テレビチャンネルリスト」操作画面を使って選局指示を行うと、ディスプレイ２２およびＤＴＶ１００側のディスプレイ１１のうち選択された方（両方でもよい）の画面に、指示したチャンネルの受信映像が表示される。
【００６２】
以上、実施の形態を挙げて本発明を説明したが、本発明はこの実施の形態に限定されず、種々の変形が可能である。例えば、実施の形態では、本発明の操作端末装置の一例として、パレットディスプレイ２００について具体的に説明したが、本発明の操作端末装置は、少なくとも本発明のテレビジョン受像機の受信手段（チューナ）に対して選局要求を行うことができる構成であればよく、リモコン機能のみ有する機器であってもよい。
【００６３】
また、実施の形態においては、ＤＴＶ１００とパレットディスプレイ２００の間で無線通信を行うようにしたが、本発明のテレビジョン受像機と操作端末装置とは、有線で接続して通信を行う構成とすることも可能である。
【図面の簡単な説明】
【００６４】
【図１】本発明の一実施の形態における受信システムの外観を表す図である。
【図２】図１に示した受信システムの機能ブロック図である。
【図３】図１に示したパレットディスプレイにおける初期画面を表す図である。
【図４】図１に示したパレットディスプレイにおけるチャンネル表示画面を表す図である。
【図５】図１に示したパレットディスプレイにおけるリモコン表示画面を表す図である。
【図６】図１に示したディジタル・テレビジョン受像機（ＤＴＶ）が作成するアナログ放送用のチャンネルリストの概念構成を表す図である。
【図７】図１に示したディジタル・テレビジョン受像機（ＤＴＶ）が作成するＢＳ放送用のチャンネルリストの概念構成を表す図である。
【図８】図１に示したディジタル・テレビジョン受像機（ＤＴＶ）が作成するＣＳ放送用のチャンネルリストの概念構成を表す図である。
【図９】図１に示したパレットディスプレイが保持する局名リストの概念構成を表す図である。
【図１０】図１に示したパレットディスプレイが作成するチャンネルリストの概念構成を表す図である。
【図１１】図１に示した受信システムにおけるチャンネルリスト設定時の動作を説明するためのフローチャートである。
【図１２】図１に示した受信システムにおけるチャンネルリスト設定時の動作を説明するための図である。
【図１３】図１に示した受信システムにおけるチャンネルリスト設定時の動作を説明するためのフローチャートである。
【図１４】図１に示した受信システムにおけるチャンネルリスト設定時の動作を説明するためのフローチャートである。
【符号の説明】
【００６５】
１…選局制御部、１Ａ…メモリ、２…受光部、３…通信制御部、４…ディジタルチューナ、５…アナログチューナ、６…ビデオ信号再生回路、７…ＡＶＳＷ（スイッチ）、８…信号処理回路、１０…メディアレシーバ、１１…ディスプレイ、１３…選局ボタン、２１…制御部、２１Ａ…メモリ、２２…ディスプレイ、２２Ａ，２２Ｂ…表示・センサ部、２３…通信制御部、３０…リモコン、４１〜４３，４５，４６…チャンネルリスト、４４…局名リスト、５１…メニュー表示、５２…チャンネル表示、５２Ａ…選局ボタン、５３…リモコン表示、１００…ＤＴＶ、２００…パレットディスプレイ、３００…受信システム。
【図１】
2005033657.tif 000003
【図２】
2005033657.tif 000004
【図３】
2005033657.tif 000005
【図４】
2005033657.tif 000006
【図５】
2005033657.tif 000007
【図６】
2005033657.tif 000008
【図７】
2005033657.tif 000009
【図８】
2005033657.tif 000010
【図９】
2005033657.tif 000011
【図１０】
2005033657.tif 000012
【図１１】
2005033657.tif 000013
【図１２】
2005033657.tif 000014
【図１３】
2005033657.tif 000015
【図１４】
2005033657.tif 000016